(57)【要約】【課題】二次ワイピング部材の交換性等を損なうことなく、装置全体をコンパクトに構成することができるベルト洗浄装置等を提供する。【解決手段】洗浄容器９６の内側で且つ搬送ベルト６４の走行方向において回転ブラシ９７よりも下流側に設けられ、搬送ベルト６４に付着した洗浄液を相対的に拭き取るワイパー９９を備え、ワイパー９９は、搬送ベルト６４の表面に接触する一次ワイピングブレード１９３および二次ワイピングブレード１９６と、洗浄容器９６の内側に取り付けられ、一次ワイピングブレード１９３および二次ワイピングブレード１９６がそれぞれネジ止め固定された一次固定プレート１９４および二次固定プレート１９７と、を有し、二次固定プレート１９７に形成されたネジ孔２０１の軸線２０１ａを、走行方向上流側に向かって斜め上方に傾け且つ一次固定プレート１９４と交差しないようにした。【選択図】図３
2014047034.tif 000002
【特許請求の範囲】
【請求項１】
被搬送物を搬送する搬送ベルトの表面を洗浄液で洗浄する洗浄部材と、
前記搬送ベルトの走行方向において前記洗浄部材よりも下流側に設けられ、前記搬送ベルトに付着した前記洗浄液を相対的に拭き取るワイパーと、を備え、
前記ワイパーは、
前記搬送ベルトの表面に接触する一次ワイピング部材と、
前記走行方向において前記一次ワイピング部材よりも下流側に設けられ、前記搬送ベルトの表面に接触する二次ワイピング部材と、
前記一次ワイピング部材が固定された一次固定部材と、
前記二次ワイピング部材がネジ止め固定された二次固定部材と、を有し、
前記二次固定部材に形成された、前記二次ワイピング部材をネジ止めするためのネジ孔の軸線が、前記走行方向上流側に向かって斜め上方に傾き且つ前記一次固定部材と交差しないことを特徴とするベルト洗浄装置。
【請求項２】
前記洗浄液を貯留すると共に上部が開放された洗浄容器を、さらに備え、
前記洗浄部材は、前記洗浄容器の上部開放部から一部を突出させて前記洗浄容器に収容され、
前記一次固定部材および前記二次固定部材は、前記洗浄容器の内側に取り付けられていることを特徴とする請求項１に記載のベルト洗浄装置。
【請求項３】
前記洗浄容器の前記走行方向下流側の壁部には、容器外側に屈曲して上端部を傾斜させた屈曲部が形成されており、
前記一次固定部材が、前記屈曲部よりも下方の鉛直部に取り付けられ、
前記二次固定部材が、板状に形成されると共に、前記屈曲部よりも上方の傾斜部に沿って斜めに取り付けられていることを特徴とする請求項２に記載のベルト洗浄装置。
【請求項４】
請求項２または３に記載のベルト洗浄装置と、
前記搬送ベルトを有し、前記被搬送物を搬送するベルト搬送ユニットと、
を備えたことを特徴とする媒体送り装置。
【請求項５】
前記ワイパーに拭き取られる位置において、前記搬送ベルトが水平方向に走行し、
前記二次ワイピング部材が、断面矩形に形成されたワイピングブレードで構成され、前記二次固定部材に沿って斜めに固定されていることを特徴とする請求項４に記載の媒体送り装置。
【請求項６】
請求項４または５に記載の媒体送り装置と、
前記搬送ベルト上の前記被搬送物である記録媒体に対してインクジェット方式で印刷を行う印刷部と、
を備えたことを特徴とするインクジェット記録装置。
【請求項７】
被搬送物を搬送する搬送ベルトの表面を洗浄液で洗浄する洗浄部材と、
前記搬送ベルトの走行方向において前記洗浄部材よりも下流側に設けられ、前記搬送ベルトに付着した前記洗浄液を相対的に拭き取るワイパーと、を備え、
前記ワイパーは、
前記搬送ベルトの表面に接触する一次ワイピング部材と、
前記走行方向において前記一次ワイピング部材よりも下流側に設けられ、前記搬送ベルトの表面に接触する二次ワイピング部材と、
前記一次ワイピング部材がネジ止め固定された一次固定部材と、
前記二次ワイピング部材が固定された二次固定部材と、を有し、
前記一次固定部材に形成された、前記一次ワイピング部材をネジ止めするためのネジ孔の軸線が、前記走行方向下流側に向かって斜め上方に傾き且つ前記二次固定部材と交差しないことを特徴とするベルト洗浄装置。
【発明の詳細な説明】
【技術分野】
【０００１】
本発明は、記録媒体を送る搬送ベルトを洗浄液で洗浄するベルト洗浄装置、媒体送り装置およびインクジェット記録装置に関する。
【背景技術】
【０００２】
従来、洗浄水を貯留すると共に上部が開放された水受け部と、水受け部の上部開放部から一部を突出させて水受け部に収容されると共に、記録媒体を搬送する無端ベルトの表面を洗浄水で洗浄するブラシローラーと、水受け部の内側で且つ無端ベルトの走行方向においてブラシローラーよりも下流側に設けられ、無端ベルトに付着した洗浄液を相対的に拭き取る上流側のシート状可撓性部材および下流側の弾性支持部材と、シート状可撓性部材を取り付けた片と弾性支持部材を取り付けた片とでＬ字状に形成された取り付け部と、を備えたクリーニング装置が知られている（特許文献１参照）。
【先行技術文献】
【特許文献】
【０００３】
【特許文献１】特開２００８−１１４９９１号公報
【発明の概要】
【発明が解決しようとする課題】
【０００４】
このようなクリーニング装置（ベルト洗浄装置）において、取り付け部に代えて、上流側の一次ワイピング部材を固定する一次固定部材と、下流側の二次ワイピング部材をネジ止めする二次固定部材とを、水受け部（洗浄容器）に取り付けると共に、装置全体をコンパクトにすべく、一次固定部材と二次固定部材とを近接して配設することが考えられる。そして、二次ワイピング部材を交換する場合などにおいて、二次固定部材に形成されたネジ孔に螺合する固定ネジへドライバー等でアクセスする際に一次固定部材が邪魔にならないよう、一次固定部材を二次固定部材よりも下方に設け、二次固定部材に形成されたネジ孔を、一次固定部材の上端よりも上方に位置させることで、ネジ孔の軸線が一次固定部材と交差しないように（ネジ孔の軸線は水平）ことが考えられる。しかしながら、この場合、一次固定部材を二次固定部材よりも下方に設けた分、一次ワイピング部材の自由長（一次固定部材からの突出長さ）を長くする必要がある。そうなると、一次ワイピング部材が無端ベルト（搬送ベルト）の表面に対して適度な接触押圧力で接触（払拭）するためには、一次ワイピング部材の厚さを厚くしたり、素材を特殊なものにしたりしなければならないため、現実的ではない。
【０００５】
本発明は、ワイピング部材の交換性等を損なうことなく、装置全体をコンパクトに構成することができるベルト洗浄装置、媒体送り装置およびインクジェット記録装置を提供することを課題としている。
【課題を解決するための手段】
【０００６】
本発明のベルト洗浄装置は、被搬送物を搬送する搬送ベルトの表面を洗浄液で洗浄する洗浄部材と、搬送ベルトの走行方向において洗浄部材よりも下流側に設けられ、搬送ベルトに付着した洗浄液を相対的に拭き取るワイパーと、を備え、ワイパーは、搬送ベルトの表面に接触する一次ワイピング部材と、走行方向において一次ワイピング部材よりも下流側に設けられ、搬送ベルトの表面に接触する二次ワイピング部材と、一次ワイピング部材が固定された一次固定部材と、二次ワイピング部材がネジ止め固定された二次固定部材と、を有し、二次固定部材に形成された、二次ワイピング部材をネジ止めするためのネジ孔の軸線が、走行方向上流側に向かって斜め上方に傾き且つ一次固定部材と交差しないことを特徴とする。
この場合、洗浄液を貯留すると共に上部が開放された洗浄容器を、さらに備え、洗浄部材は、洗浄容器の上部開放部から一部を突出させて洗浄容器に収容され、一次固定部材および二次固定部材は、洗浄容器の内側に取り付けられていることが好ましい。
【０００７】
この構成によれば、二次ワイピング部材をネジ止めするためのネジ孔の軸線が、走行方向の上流側に向かって斜め上方に傾いているため、一次固定部材を二次固定部材よりも下方に設けなくとも、当該ネジ孔の軸線が一次固定部材と交差しないようにすることができる。このため、一次ワイピング部材を固定する一次固定部材と、二次ワイピング部材をネジ止め固定する二次固定部材とを近接して配設した場合にも、当該ネジ孔に螺合する固定ネジに対して走行方向上流側からドライバー等の工具でアクセスする際に、一次固定部材が邪魔となることがない。したがって、二次ワイピング部材の交換性等を損なうことなく、装置全体をコンパクトに構成することができる。
【０００８】
この場合、洗浄容器の走行方向下流側の壁部には、容器外側に屈曲して上端部を傾斜させた屈曲部が形成されており、一次固定部材が、屈曲部よりも下方の鉛直部に取り付けられ、二次固定部材が、板状に形成されると共に、屈曲部よりも上方の傾斜部に沿って斜めに取り付けられていることが好ましい。
【０００９】
この構成によれば、板状に形成された二次固定部材を洗浄容器の傾斜部に沿って斜めに取り付けることで、二次固定部材に形成されたネジ孔の軸線が、走行方向上流側に向かって斜め上方に傾く。そして、洗浄容器の走査方向下流側の壁部に形成された屈曲部の上下（傾斜部および鉛直部）に二次固定部材および一次固定部材を取り付けることで、二次固定部材に一次固定部材を取り付けた場合に比べ、一次固定部材を走行方向下流側の壁部に寄せて配設することができる。このため、洗浄容器の走行方向における長さを短くすることができ、コンパクトな構成とすることができる。
【００１０】
本発明の媒体送り装置は、上記したベルト洗浄装置と、搬送ベルトを有し、記録媒体を搬送するベルト搬送ユニットと、を備えたことを特徴とする。
【００１１】
この構成によれば、二次ワイピング部材の交換性等を損なうことなく、装置全体をコンパクトに構成することができるベルト洗浄装置を備えたことで、二次ワイピング部材の交換等を容易に行うことができると共に、ベルト洗浄装置の設置の自由度を高めることができる。
【００１２】
この場合、ワイパーに拭き取られる位置において、搬送ベルトが水平方向に走行し、二次ワイピング部材が、断面矩形に形成されたワイピングブレードで構成され、二次固定部材に沿って斜めに固定されていることが好ましい。
【００１３】
この構成によれば、一般的な断面矩形のワイピングブレードを用いた場合にも、水平方向に走行する搬送ベルトの表面に対し、ワイピングブレードの角部を当てて効率良く洗浄液を拭き取ることができる。このため、特殊な形状のワイピングブレードを用いる必要がなく、コストを削減することができる。
【００１４】
本発明のインクジェット記録装置は、上記した媒体送り装置と、搬送ベルト上の記録媒体に対してインクジェット方式で印刷を行う印刷部と、を備えたことを特徴とする。
【００１５】
この構成によれば、二次ワイピング部材の交換性等を損なうことなく、装置全体をコンパクトに構成することができるベルト洗浄装置を有する媒体送り装置を備えたことで、二次ワイピング部材の交換等を容易に行うことができると共に、ベルト洗浄装置の設置の自由度を高めることができる。
【００１６】
本発明の他のベルト洗浄装置は、被搬送物を搬送する搬送ベルトの表面を洗浄液で洗浄する洗浄部材と、搬送ベルトの走行方向において洗浄部材よりも下流側に設けられ、搬送ベルトに付着した洗浄液を相対的に拭き取るワイパーと、を備え、ワイパーは、搬送ベルトの表面に接触する一次ワイピング部材と、走行方向において一次ワイピング部材よりも下流側に設けられ、搬送ベルトの表面に接触する二次ワイピング部材と、一次ワイピング部材がネジ止め固定された一次固定部材と、二次ワイピング部材が固定された二次固定部材と、を有し、一次固定部材に形成された、一次ワイピング部材をネジ止めするためのネジ孔の軸線が、走行方向下流側に向かって斜め上方に傾き且つ二次固定部材と交差しないことを特徴とする。
【００１７】
この構成によれば、一次ワイピング部材をネジ止めするためのネジ孔の軸線が、走行方向の下流側に向かって斜め上方に傾いているため、二次固定部材を一次固定部材よりも下方に設けなくとも、当該ネジ孔の軸線が二次固定部材と交差しないようにすることができる。このため、一次ワイピング部材をネジ止め固定する一次固定部材と、二次ワイピング部材を固定する二次固定部材とを近接して配設した場合にも、当該ネジ孔に螺合する固定ネジに対して走行方向下流側からドライバー等の工具でアクセスする際に、二次固定部材が邪魔となることがない。したがって、一次ワイピング部材の交換性等を損なうことなく、装置全体をコンパクトに構成することができる。
【図面の簡単な説明】
【００１８】
【図１】実施形態に係るインクジェット記録装置を模式的に表した断面構造図である。
【図２】インクジェット記録装置におけるベルト洗浄ユニットを、Ｙ軸方向に平行な切断線に沿って切断した断面構造図である。
【図３】インクジェット記録装置におけるベルト洗浄ユニットを、Ｘ軸方向に平行な切断線に沿って切断した断面構造図である。
【発明を実施するための形態】
【００１９】
以下、添付の図面を参照して、本発明の一実施形態に係るインクジェット記録装置について説明する。このインクジェット記録装置は、いわゆるリール・ツー・リールの形式で除給材される布帛（原反）に、専用に染料インクを用いインクジェット方式で文様等を印刷（捺染）するものである。なお、以下の説明では、布帛である記録媒体の正逆送り方向をＸ軸方向と、Ｘ軸方向に直交する方向をＹ軸方向と規定する。
【００２０】
図１は、インクジェット記録装置の断面構造図である。同図に示すように、このインクジェット記録装置１は、ロール状に巻回された記録媒体Ｗを繰り出して送る繰出部２と、繰り出された記録媒体Ｗを送り経路３に沿って印刷のために送る装置本体４と、装置本体４の上側に配設され、装置本体４と協働して記録媒体Ｗにインクジェット方式で印刷を行う印刷部５と、印刷部５により印刷された記録媒体Ｗを、装置本体４の送り方向下流側において巻き取って回収する巻取部６と、これら構成装置を統括制御する制御部７と、を備えている。
【００２１】
装置本体４は、鋼材を組んで構成した本体用機台１１と、本体用機台１１に支持され、記録媒体Ｗをベルト搬送によりＸ軸方向に間欠送りする媒体送り機構１２と、を有している。印刷部５は、インクジェットヘッド１５を有するキャリッジユニット１４と、キャリッジユニット１４をＹ軸方向に往復動させるヘッド移動機構１６と、を有している。一方、繰出部２は、記録媒体Ｗを繰り出す繰出しユニット１８と、繰り出され記録媒体Ｗの弛みを取る弛取りユニット１９と、を有している。また、巻取部６は、記録媒体Ｗを巻き取る巻取りユニット２１と、巻取りユニット２１に間紙Ｐを供給する間紙ユニット２２と、記録媒体Ｗを巻き取る前に記録媒体Ｗに浸み込んだ染料インクの溶剤（水分）を気化させるヒーターユニット２３とを有し、これらを巻取部用機台２４に搭載して構成されている。
【００２２】
繰出しユニット１８から繰り出されて記録媒体Ｗ（布帛）は、弛取りユニット１９により張られるようにして弛みが取られ、媒体送り機構１２に送り込まれる。媒体送り機構１２に送り込まれた記録媒体Ｗは、表面に粘着されるようにしてベルト搬送される。このベルト搬送では、記録媒体ＷがＸ軸方向に間欠送りされる（副走査）一方、これに同期してキャリッジユニット１４がＹ軸方向に往復動し、インクジェットヘッド１５からインク吐出が行われる（主走査）。
【００２３】
このようにして、印刷が行われた後、記録媒体Ｗの印刷済み部分（捺染済み部分）は、媒体送り機構１２から巻取部６に送り出される。巻取部６では、媒体送り機構１２から送り出された記録媒体Ｗに、間紙ユニット２２から間紙Ｐが連続的に供給され、記録媒体Ｗと間紙Ｐとが重なってヒーターユニット２３に送られる。ヒーターユニット２３では、間紙Ｐと共に記録媒体Ｗが加熱され、染料インクの溶剤（水分）が気化される。このようにして、乾燥処理された捺染済みの記録媒体Ｗは、間紙Ｐと共に巻取りユニット２１に巻き取られる。
【００２４】
繰出しユニット１８は、上記の本体用機台１１に固定された左右（Ｙ軸方向）一対のＴ字状フレーム３２、および一対のＴ字状フレーム３２間に渡した複数本の棒状フレーム３３から成る繰出しフレーム３１と、一対のＴ字状フレーム３２にＹ軸方向にスライド自在に支持され、Ｙ軸方向に延在する２本の繰出し側ロッドベース３４と、２本の繰出し側ロッドベース３４にスライド自在に支持された一対の繰出し軸突起３５と、を有している。各繰出し軸突起３５の先端部は円錐台形状に形成されており、一対の繰出し軸突起３５は、記録媒体Ｗの幅に対応させた相互の幅寄せにより、それぞれの先端部をロール状の記録媒体Ｗの繰出しコアに嵌入させて、記録媒体Ｗを水平に支持している。
【００２５】
一対の繰出し軸突起３５は、モーター駆動の幅移動ユニット３６により、２本の繰出し側ロッドベース３４を介して左右（記録媒体Ｗの幅方向）に一体に移動するようになっている。後述する蛇行検出センサー４８により、記録媒体Ｗの幅方向における位置ズレが検出されると、一対の繰出し軸突起３５を左右に微小移動させる。これにより、巻回された記録媒体Ｗの耳部（幅端）が竹の子状となり、記録媒体Ｗに軸方向の巻ズレが生じている場合に、記録媒体Ｗの媒体送り機構１２に対する幅方向の位置ズレ、すなわち媒体送り機構１２において記録媒体Ｗが蛇行（斜行）するのを防止している。
【００２６】
また、一対の繰出し軸突起３５の一方には、モーター駆動の回転ユニット３７が組み込まれており、この回転ユニット３７により、一対の繰出し軸突起３５を繰出し回転させて記録媒体Ｗを繰り出すようにしている。さらに、繰出しユニット１８の下方には、繰出しユニット１８から繰り出された記録媒体Ｗの有無を検出する反射型の光センサー１４２（図２参照）が設けられている。
【００２７】
本実施形態では、記録媒体Ｗに一定のテンションを与えつつ繰り出すテンションモードと、可能な限りテンションを少なくして繰り出す弛みモードとがあり、記録媒体Ｗ別にモード切替えを行うようにしている。このテンションモードと弛みモードとは、印刷部５に設けた操作画面（図示省略）において、ＧＵＩ（Graphical  User  Interface）ボタンにより切替可能となっている。
【００２８】
テンションモードは、伸縮性の低い通常の布帛（記録媒体Ｗ）を対象とするものであり、この場合には、例えばパーソナルコンピューターで構成された制御部７が、記録媒体Ｗに所要のテンションを付与して第１ローラー４５に向けて繰り出すように、回転ユニット３７を制御する。より具体的には、制御部７は、回転ユニット３７のモーターのトルク制御により、媒体送り機構１２による記録媒体Ｗの送り動作時には、記録媒体Ｗを繰り出すように回転ユニット３７を駆動し、媒体送り機構１２による記録媒体Ｗの送り停止時には、記録媒体Ｗを僅かに巻き戻すように回転ユニット３７を駆動する。これにより、繰出しユニット１８と弛取りユニット１９との間の記録媒体Ｗにテンションが付与された状態で、記録媒体Ｗが送られる。
【００２９】
一方、弛みモードは、例えばストッキング地のように伸縮性の高い布帛（記録媒体Ｗ）を対象とするものであり、この場合には、制御部７が、繰り出した記録媒体Ｗがいったん下方に弛んでから、弛取りユニット１９に送り込まれるように、回転ユニット３７を制御する（図１では弛み部分の記録媒体Ｗを破線で示す）。すなわち、制御部７は、媒体送り機構１２による記録媒体Ｗの送り動作に伴って、記録媒体Ｗの弛み量が少なくなり、繰出しユニット１８の下方に設けられた光センサー１４２が記録媒体Ｗの「無」を検出すると、記録媒体Ｗを繰り出すように回転ユニット３７を正回転駆動させ、これにより弛み量が増加し、光センサー１４２が記録媒体Ｗの「有」を検出すると、回転ユニット３７の駆動を停止させる。この弛み量の制御により、繰出しユニット１８と弛取りユニット１９との間の記録媒体Ｗが適切に弛んだ状態で、記録媒体Ｗが送られる。
【００３０】
弛取りユニット１９は、後述する媒体送り機構１２のサイドフレーム６２に固定された左右（Ｙ軸方向）一対のＬ字状フレーム４２、および一対のＬ字状フレーム４２間に渡したロッドフレーム４３から成る弛取りフレーム４１と、一対のＬ字状フレーム４２に両持ちで回転自在に支持されたローラー群４４と、を有している。ローラー群４４は、繰出しユニット１８から送り込まれた記録媒体Ｗの送り経路３を複数個所で屈曲させるべく、送り方向の上流側から第１ローラー４５、第２ローラー４６および第３ローラー４７の順で配設されており、それぞれ摩擦係数の高いローラーで構成されている。
【００３１】
繰出しユニット１８から繰り出された記録媒体Ｗは、第１ローラー４５でＵターンするようにして第２ローラー４６および第３ローラー４７に達する。第２ローラー４６および第３ローラー４７は、上下に近接して配設されており、両端部を一体に形成した一対の軸受部５１に回転自在に支持されている。また、各軸受部５１は、Ｌ字状フレーム４２に回動自在に支持され、一方の軸受部５１には、第２ローラー４６および第３ローラー４７の上下の配置角度を調整する角度調整ユニット５２が組み込まれている。
【００３２】
第２ローラー４６および第３ローラー４７を通過する記録媒体Ｗは、「Ｓ」字状に経路変更されるが、記録媒体Ｗの種別に応じてこの「Ｓ」字カーブを変形調整し、記録媒体Ｗ別に適度なテンションを付与できるようにしている。これにより、記録媒体Ｗは、部分的な弛みや皺が解消されて、媒体送り機構１２に送り込まれる。なお、これらのローラー４５，４６，４７は、記録媒体Ｗに中心から外側に向かう分力が作用するよう、中高の形状とすることが好ましい。また、第１ローラー４５と第２ローラー４６との間には、蛇行検出センサー４８が設けられている。
【００３３】
媒体送り機構１２は、上記の本体用機台１１上に載置固定した左右（Ｙ軸方向）一対のサイドフレーム６２を有する本体フレーム６１と、一対のサイドフレーム６２に支持され、無端の搬送ベルト６４を有するベルト搬送ユニット６３と、ベルト搬送ユニット６３の下側に配設したベルト洗浄ユニット６５と、を備えている。また、媒体送り機構１２は、上流側においてベルト搬送ユニット６３に上側から臨む押圧ローラー６６と、下流側においてベルト搬送ユニット６３に対し斜め上方に配設された分離ローラー６７と、を備えている。
【００３４】
本体フレーム６１は、厚手の板材で構成された一対のサイドフレーム６２と、一対のサイドフレーム６２を連結する前後（Ｘ軸方向）一対の連結フレーム７１と、を有しており、一対のサイドフレーム６２の部分で本体用機台１１に載置固定されている。また、本体フレーム６１は、一対の連結フレーム７１間に位置して、一対のサイドフレーム６２を連結すると共に、上記のベルト洗浄ユニット６５を支持する支持フレーム７２を有している。各サイドフレーム６２には、ベルト搬送ユニット６３を取り付けるための切欠き部や、印刷部５を取り付けるための切欠き部が適宜設けられ、またベルト洗浄ユニット６５を点検するための開口部が形成されている。
【００３５】
ベルト搬送ユニット６３は、送り方向の下流側に位置する駆動プーリー８１と、送り方向の上流側に位置する従動プーリー８２と、駆動プーリー８１および従動プーリー８２間に架け渡した無端の搬送ベルト６４と、を有している。また、ベルト搬送ユニット６３は、従動プーリー８２の近傍に位置して、搬送ベルト６４の走行をガイドする第１ガイドプレート８３と、印刷部５の直下に位置して、搬送ベルト６４の走行をガイドする第２ガイドプレート８４と、上記の支持フレーム７２の直上に位置して、裏側に回り込んだ搬送ベルト６４の走行をガイドする第３ガイドプレート８５と、を有している。
【００３６】
第１ガイドプレート８３および第２ガイドプレート８４は、相互の表面が面一（同一水平面）となるように配設した状態で、一対のサイドフレーム６２間に架け渡されており、本体フレーム６１の一部としても機能している。また、第１ガイドプレート８３は、従動プーリー８２から離れた直後の（上側の）搬送ベルト６４が水平に走行するようにガイドし、第２ガイドプレート８４は、印刷領域に位置する搬送ベルト６４（の上側）に、弛みが生じないようにガイドしている。したがって、第２ガイドプレート８４の直上に位置する搬送ベルト６４は、プラテンとして機能する。さらに、第３ガイドプレート８５は、ベルト洗浄ユニット６５により突き上げ力を受ける搬送ベルト６４を、押さえるようにガイドしている（詳細は後述する。）。なお、駆動プーリー８１から離れた直後の（下側の）搬送ベルト６４についても、水平に走行する。つまり、搬送ベルト６４は、ベルト洗浄ユニット６５により洗浄される位置において、水平に走行する。
【００３７】
駆動プーリー８１および従動プーリー８２は、専用の軸受を介して、一対のサイドフレーム６２に回転自在に支持されており、駆動プーリー８１の一方の軸端には、搬送ベルト６４を間欠で走行させる搬送モーター８６が連結されている。搬送ベルト６４は、外周面（表面）に粘着性を有する（粘着処理）幅広の特殊なベルトで構成され、記録媒体Ｗを貼着してこれをＸ軸方向に送る。これにより、記録媒体Ｗは、印刷部５の直下において、捲れ等を生ずることなく印刷送り（間欠送り）される。
【００３８】
従動プーリー８２の上側には、弛取りユニット１９から送り込まれた記録媒体Ｗを、搬送ベルト６４に貼着する押圧ローラー６６が配設されている。押圧ローラー６６は、サイドフレーム６２に回動自在に支持された一対の支持アーム８７の先端部に、回転自在に支持されている。また、押圧ローラー６６は、所定の弾力性と自重を有しており、その自重により、従動プーリー８２の直上において記録媒体Ｗを搬送ベルト６４に押し付ける。すなわち、押圧ローラー６６と従動プーリー８２とは、搬送ベルト６４を挟んでニップローラーとして機能し、走行する搬送ベルト６４に記録媒体Ｗを連続的に貼着する。なお、各支持アーム８７の中間位置には、支持アーム８７を回動させるためのエアーシリンダー８８が連結されており、一対のエアーシリンダー８８を同期駆動させることにより、押圧ローラー６６が搬送ベルト６４から引き離される。
【００３９】
一方、駆動プーリー８１の斜め上方には、印刷後の記録媒体Ｗを搬送ベルト６４から引き剥がして、巻取部６に送り込む分離ローラー６７が配設されている。分離ローラー６７は、サイドフレーム６２から延びる一対のサブフレーム８９に回動自在に支持されている。この場合、分離ローラー６７は、駆動プーリー８１を周回して裏側に回り込む搬送ベルト６４から記録媒体Ｗを相対的に引き剥がすものであるが、実際の動作では、搬送ベルト６４からの引き剥がし力は、記録媒体Ｗの種別で異なるものとなる。このため、記録媒体Ｗの種別により、搬送ベルト６４が周回を開始する位置で剥がれ始めるものと、ある程度周回が進んだ位置で剥がれ始めるものとがある。但し、引き剥がしのポイントが裏側に回り込むと、記録媒体Ｗが搬送ベルト６４に巻き込まれるおそれが生ずる。
【００４０】
そこで、本実施形態では、搬送ベルト６４から分離ローラー６７に送られてゆく記録媒体Ｗの角度を位置検出し、この位置検出の検出結果に基づいて巻取りユニット２１を巻取り駆動し、引き剥がしのポイントが搬送ベルト６４の裏側に回り込むのを防止している。
【００４１】
粘着性を有する搬送ベルト６４には、経時的に糸くずや塵埃が付着するため、ベルト洗浄ユニット６５により、搬送ベルト６４の定期的な洗浄を実施する。ベルト洗浄ユニット６５は、搬送ベルト６４の下側において上記の支持フレーム７２に支持され、搬送ベルト６４を横断するようにＹ軸方向に延在している。ベルト洗浄ユニット６５の構成については後述する。なお、最終的に搬送ベルト６４に残った洗浄液は、ウエスで拭き取るようにしている。
【００４２】
印刷部５は、送り経路３（ベルト搬送ユニット６３）を跨ぐようにＹ軸方向に延在するプリンターフレーム１０１と、プリンターフレーム１０１に支持されたヘッド移動機構１６と、ヘッド移動機構１６に搭載されてＹ軸方向に往復動するキャリッジユニット１４と、これらを覆うプリンターカバー１０２と、を備えている。また、特に図示しないが、印刷部５には、インクジェットヘッド１５を保守するキャップユニットやクリーニングユニットが搭載されている。なお、印刷部５における、いわゆるペーパーギャップ（ワークギャップ）は、各種の記録媒体Ｗにおいてその厚みに幅があるため、装置本体４（媒体送り機構１２）に対し、印刷部５全体を昇降させることにより調整される。
【００４３】
プリンターフレーム１０１は、Ｙ軸方向に延在する板金製の梁状フレーム１０４と、梁状フレーム１０４を両端部で支持する板金製の一対の立設フレーム１０５とを有し、一対の立設フレーム１０５の部分で、上記のサイドフレーム６２に支持されている。なお、プリンターカバー１０２は、このプリンターフレーム１０１に取り付けられている。
【００４４】
キャリッジユニット１４は、カラープリント用の複数色のノズル列を有するインクジェットヘッド１５と、ノズル面が下向きになるようにインクジェットヘッド１５を保持するキャリッジ１０７と、を有している。なお、各ノズル列に供給される各色の染料インクは、いわゆるオフキャリッジのインクタンクから供給される。
【００４５】
ヘッド移動機構１６は、キャリッジユニット１４を片持ちでＹ軸方向にスライド自在に支持するキャリッジガイド１１１と、キャリッジガイド１１１を往復動させるベルト伝導機構１１２と、ベルト伝導機構１１２を駆動させるキャリッジモーター１１３と、を有している。キャリッジガイド１１１は、下側のメインガイド１１４と上側のサブガイド１１５とから成り、メインガイド１１４およびサブガイド１１５は、その両端部で上記一対の立設フレーム１０５に支持されている。ベルト伝導機構１１２は、タイミングベルト１１６を有し、タイミングベルト１１６の一部がキャリッジユニット１４（キャリッジ１０７）に固定されている。
【００４６】
キャリッジモーター１１３によりタイミングベルト１１６を正逆走行させると、キャリッジユニット１４が、キャリッジガイド１１１に案内されてＹ軸方向に往復動する。キャリッジガイド１１１の移動位置は、リニアエンコーダーにより検出され、この検出結果と印刷データに基づいて、インクジェットヘッド１５から各色の染料インクが選択的に吐出される。これにより、記録媒体Ｗへの印刷（捺染）が行われる。
【００４７】
巻取部６は、Ｘ軸方向において本体用機台１１に着脱自在に連結した巻取部用機台２４と、巻取部用機台２４の上部に支持されたヒーターユニット２３と、巻取部用機台２４の下部に支持された巻取りユニット２１および間紙ユニット２２と、を備えている。捺染された記録媒体Ｗは、インクが裏移りしない厚手の記録媒体Ｗをそのまま巻き取る方式と、インクが裏移りしやすい薄手の記録媒体Ｗに間紙Ｐを重ねて巻き取る方式があり、実施形態の巻取部６は、いずれの方式にも対応可能な設計となっている。以下、後者の方式を採用した場合について説明する。
【００４８】
巻取部用機台２４は、詳細は後述するが、上水平フレーム部１２１と、下水平フレーム部１２２と、上水平フレーム部１２１および下水平フレーム部１２２がそれぞれ接続された鉛直フレーム部１２３とを有し、アルミニウムの押出し形材を縦横に組んで構成されている。そして、鉛直フレーム部１２３の部分で、本体用機台１１に着脱自在に連結されている。
【００４９】
ヒーターユニット２３は、円弧状の放熱面１２５ａを有する放熱プレート１２５と、放熱プレート１２５に内貼りしたヒーター１２６と、放熱プレート１２５の内側の左右両端部に設けられ、象の鼻の形状を有する左右一対の支持プレート１２８とを備えている。また、ヒーターユニット２３（支持プレート１２８）は、その上半部を上水平フレーム部１２１に載置した状態で、上水平フレーム部１２１に設けた左右の固定部材１２７により、上水平フレーム部１２１に取り付けられている。放熱プレート１２５の上端部は、上記の分離ローラー６７に近接し且つ分離ローラー６７より僅かに低い位置に配設されている。また、放熱プレート１２５の上端部は、この部分に下方から導入される間紙Ｐを経路変更するために、下向きの円弧状に折曲げ形成されている。
【００５０】
分離ローラー６７を通過した記録媒体Ｗは、放熱プレート１２５の上端部で下方から送られてくる間紙Ｐと重なり、放熱プレート１２５の円弧状の外面（放熱面１２５ａ）に案内されて下方に送られる。放熱面１２５ａに摺接しながら上下方向に送られてゆく記録媒体Ｗおよび間紙Ｐは、ヒーター１２６により連続的に加熱される。この加熱により、記録媒体Ｗに浸み込んだ染料インクの溶剤（水分）が気化し、布帛に染料が定着する。
【００５１】
間紙ユニット２２は、ロール状の間紙Ｐを繰り出す間紙ローラー１３１と、繰り出された間紙Ｐを放熱プレート１２５の上端部に向かって経路変更するガイドバー１３２と、を有している。ガイドバー１３２は、下水平フレーム部１２２と鉛直フレーム部１２３とを連結する斜材の部分に固定されている。また、間紙ローラー１３１は、制動機構を組み込んだ一対の軸受ユニット１３３を介して、下水平フレーム部１２２の前部に支持されている。この一対の軸受ユニット１３３により、間紙Ｐは、弛みを生ずることなく繰り出される。
【００５２】
巻取りユニット２１は、上記の繰出しユニット１８と同様に、下水平フレーム部１２２の前後中間部に支持され、Ｙ軸方向に延在する２本の巻取り側ロッドベース１３５と、２本の巻取り側ロッドベース１３５にスライド自在に支持された一対の巻取り軸突起１３６と、を有している。また、巻取りユニット２１は、放熱プレート１２５の下端部と一対の巻取り軸突起１３６との間の送り経路３に位置して、記録媒体Ｗおよび間紙Ｐに張りを与えるテンションローラー１３７を有している。
【００５３】
各巻取り軸突起１３６の先端部は円錐台形状に形成されており、一対の巻取り軸突起１３６は、記録媒体Ｗの幅に対応させた相互の幅寄せにより、それぞれの先端部を、記録媒体Ｗを巻き取る巻取りコアに嵌入させて、これを水平に支持している。一対の巻取り軸突起１３６の一方には、モーター駆動の回転ユニット１３８が組み込まれており、一対の巻取り軸突起１３６を巻取り回転させて、記録媒体Ｗおよび間紙Ｐを同時に巻き取るようにしている。そして、回転ユニット１３８は、上述のように、分離ローラー６７の近傍において、分離ローラー６７に送られてゆく記録媒体Ｗの角度検出に基づいて、制御される。
【００５４】
テンションローラー１３７は、下水平フレーム部１２２の後部に回動自在に支持された一対の回動アーム１３９の先端部に、回転自在に支持されている。そして、テンションローラー１３７は、巻取りコアに巻き取られる記録媒体Ｗおよび間紙Ｐの間紙Ｐ側に転接し、その自重により記録媒体Ｗおよび間紙Ｐを下方に回動付勢している。これにより、記録媒体Ｗおよび間紙Ｐに適度なテンションが付与され、記録媒体Ｗおよび間紙Ｐは、巻き締めるようにして巻取りコアに巻き取られる。
【００５５】
次に、図２および図３を参照して、ベルト洗浄ユニット６５について説明する。なお、以下の説明では、走行方向とは、ベルト洗浄ユニット６５により洗浄される位置における搬送ベルト６４の走行方向を意味する。そのため、走行方向の上流側は、記録媒体Ｗの送り方向の下流側となり、走行方向の下流側は、送り方向の上流側となる。
【００５６】
ベルト洗浄ユニット６５は、Ｙ軸方向に延在し、支持フレーム７２（図１参照）に載置されるユニットベース９１と、ユニットベース９１のＹ軸方向略中間部に立設するように設けた昇降シリンダー９２と、昇降シリンダー９２により昇降される洗浄ユニット本体９３と、洗浄ユニット本体９３の昇降をガイドする左右一対の昇降ガイド９４と、を備えている。
【００５７】
また、洗浄ユニット本体９３は、Ｙ軸方向に延在すると共に洗浄液を貯留する洗浄容器９６と、洗浄容器９６に収容した回転ブラシ９７と、回転ブラシ９７を回転させる洗浄モーター９８と、洗浄容器９６の内側で且つ回転ブラシ９７よりも走行方向下流側に設けられ、搬送ベルト６４に付着した洗浄液を相対的に拭き取るワイパー９９と、を有している。
【００５８】
洗浄容器９６は、上部が開放されると共に、Ｙ軸方向に長い箱状に形成されており、底壁１５１と、走行方向上流側の上流側壁１５２と、走行方向下流側の下流側壁１５３と、装置左側の左側壁１５４と、装置右側の右側壁１５５とから構成されている。洗浄容器９６の内部には、底壁１５１から高さ方向略中間部まで立設され、容器内部を走行方向（Ｘ軸方向）に２つに仕切る仕切壁１５６がＹ軸方向に延在している。洗浄容器９６は、仕切壁１５６により、走行方向上流側の小さい小室１５７と、走行方向下流側の広い大室１５８とに区分けされており、大室１５８に、回転ブラシ９７が収容されている。仕切壁１５６は「堰」として機能し、大室１５８の液位を一定に保つ。
【００５９】
下流側壁１５３には、洗浄容器９６の外側（走行方向下流側）に屈曲して上端部を傾斜させた屈曲部１６１が形成されている。すなわち、下流側壁１５３は、屈曲部１６１よりも下方で、鉛直方向に延在する鉛直部１６２と、屈曲部１６１よりも上方で、走行方向下流側に向かって斜め上方に延在する傾斜部１６３とから構成されている。また、下流側壁１５３（鉛直部１６２）には、Ｙ軸方向の略中間部において、供給継手１６４を介して洗浄液供給管１６５が接続される洗浄液供給口１６６が形成されている。洗浄液供給口１６６には、回転ブラシ９７との間を遮蔽するように、洗浄液供給口１６６の上端部から斜め下方に延びる遮蔽板１６７が形成されている。洗浄液供給口１６６から流入する洗浄液は、この遮蔽板１６７により、大室１５８の底（底壁１５１）に向かって流れる。これにより、ゴミ等が大室１５８の底に沈殿するのを防止している。
【００６０】
一方、小室１５７の底壁１５１には、側において、排出継手１７１を介して洗浄液排出管１７２が接続される洗浄液排出口（図示省略）が、左右（Ｙ軸方向）の２箇所に形成されている。洗浄液は、洗浄液供給口１６６から大室１５８に流入し、大室１５８に収容された回転ブラシ９７を浸漬すると共に、仕切壁１５６を超えて小室１５７にオーバーフローすると、洗浄液排出口から洗浄液排出管１７２に排出される。この洗浄液は、外部タンクとの間でフィルタリングしながら循環させることが好ましい。一方、大室１５８の底壁１５１には、ドレイン管１７３が左右の２箇所に接続されており、メンテナンス等の際に、大室１５８に貯留された洗浄液の液抜きを行えるようになっている。
【００６１】
回転ブラシ９７は、ブラシ軸１８１と、ブラシ軸１８１に嵌装されたブラシ本体１８２とを有している。ブラシ軸１８１は、左右のブラシ軸受１８３により両持ちで軸支されており、一方の端部には、カップリング１８４を介して洗浄モーター９８（ギアードモーター）の出力軸が接続している。ブラシ本体１８２は、短い円筒状に形成された複数の単位ブラシ１８２ａを、ブラシ軸１８１の軸方向に連ねて構成されており、全体として、搬送ベルト６４の幅に対応した幅を有している。回転ブラシ９７は、下端部が大室１５８に貯留された洗浄液に浸漬されると共に、上端部を、洗浄容器９６の上部開放部から僅かに突出させ、搬送ベルト６４の表面に接触可能となっている。
【００６２】
ワイパー９９は、回転ブラシ９７の走行方向下流側近傍に設けられ、搬送ベルト６４に付着した洗浄液を大まかに拭き取る一次ワイパー１９１と、一次ワイパー１９１よりも走行方向下流側に設けられ、一次ワイパー１９１により拭き取られずに残った洗浄液を拭き取る二次ワイパー１９２とを備えている。
【００６３】
一次ワイパー１９１は、搬送ベルト６４の表面に接触する一次ワイピングブレード１９３と、一次ワイピングブレード１９３よりも走行方向下流側に設けられ、一次ワイピングブレード１９３がネジ止め固定される一次固定プレート１９４と、一次ワイピングブレード１９３よりも走行方向上流側に設けられ、一次ワイピングブレード１９３の基端部（下端部）を一次固定プレート１９４に対して押さえる一次押さえ部材１９５と、一次押さえ部材１９５を一次固定プレート１９４に締結する複数の一次固定ネジ（図示省略）とを有している。これらの一次ワイピングブレード１９３、一次固定プレート１９４および一次押さえ部材１９５は、側面視において、起立姿勢となっている（図３参照）。
【００６４】
一方、二次ワイパー１９２は、一次ワイピングブレード１９３よりも走行方向下流側で搬送ベルト６４の表面に接触する二次ワイピングブレード１９６と、二次ワイピングブレード１９６よりも走行方向下流側の斜め下方に設けられ、二次ワイピングブレード１９６がネジ止め固定される二次固定プレート１９７と、二次ワイピングブレード１９６よりも走行方向上流側の斜め上方に設けられ、二次ワイピングブレード１９６の基端部（下端部）を二次固定プレート１９７に対して押さえる二次押さえ部材１９８と、二次押さえ部材１９８を二次固定プレート１９７に締結する複数の二次固定ネジ（図示省略）とを有している。これらの二次ワイピングブレード１９６、二次固定プレート１９７および二次押さえ部材１９８は、側面視において、上端部が走行方向下流側に傾いた傾斜姿勢となっている（図３参照）。すなわち、一次ワイピングブレード１９３と二次ワイピングブレード１９６とは、側面視略「レ」字状となるように配設されている。なお、一次ワイピングブレード１９３および二次ワイピングブレード１９６の先端部の高さ位置は、回転ブラシ９７の上端部の高さ位置と略同じとなっている。
【００６５】
一次ワイピングブレード１９３は、比較的柔らかい弾性素材（例えばシリコンゴム）で構成され、その先端部（上端部）において、走行方向下流側の角部が斜めに切り落とされ、走行方向上流側が鋭角となった略矩形の断面形状を有している。これにより、搬送ベルト６４表面の洗浄液を効率良く拭き取る（掻き取る）ことができるが、搬送ベルト６４に適度になじむものであれば、一般的な、断面形状が矩形のものであってもよい。
【００６６】
一次固定プレート１９４は、複数箇所に設けたスペーサー１９９を介して、下流側壁１５３の鉛直部１６２の上端内側に取り付けられている。図示省略したが、一次固定プレート１９４には、一次固定ネジが螺合する雌ネジが形成された一次ネジ孔が、一次ワイピングブレード１９３には、一次固定ネジが貫通する貫通孔（バカ孔）が、一次押さえ部材１９５には、一次固定ネジが貫通する取付孔（バカ孔）が、それぞれＹ軸方向の複数箇所に分散して形成されている。そして、複数の一次固定ネジを一次固定プレート１９４にねじ込むことで、一次押さえ部材１９５が一次固定プレート１９４に締結され、その間に挟持された一次ワイピングブレード１９３が一次固定プレート１９４にネジ止め固定される。
【００６７】
一方、二次ワイピングブレード１９６は、比較的固い弾性素材（例えばウレタンゴム）で構成され、矩形の断面形状を有している。二次固定プレート１９７は、一次固定プレート１９４に近接して、下流側壁１５３の傾斜部１６３に沿って斜めに取り付けられている。そして、二次ワイピングブレード１９６は、二次固定プレート１９７に沿って斜めに固定されているため、水平方向に走行する搬送ベルト６４の表面に対し、二次ワイピングブレード１９６の角部が当たることになる。これにより、特殊な形状のワイピングブレードを用いずとも、効率良く洗浄液を拭き取ることができ、コストを削減することができる。
【００６８】
一次ワイパー１９１側と同様に、二次固定プレート１９７には、二次固定ネジが螺合する雌ネジが形成された二次ネジ孔２０１が、二次ワイピングブレード１９６には、二次固定ネジが貫通する貫通孔２０２（バカ孔）が、二次押さえ部材１９８には、二次固定ネジが貫通する押さえ孔２０３（バカ孔）が、それぞれＹ軸方向の複数箇所に分散して形成されている。そして、複数の二次固定ネジを二次固定プレート１９７にねじ込むことで、二次押さえ部材１９８が二次固定プレート１９７に締結され、その間に挟持された二次ワイピングブレード１９６が二次固定プレート１９７にネジ止め固定される。
【００６９】
このように構成されたベルト洗浄ユニット６５により、搬送ベルト６４の定期的な洗浄作業が実施される。この洗浄作業では、まず、回転ブラシ９７およびワイパー９９（一次ワイピングブレード１９３および二次ワイピングブレード１９６）が搬送ベルト６４に接触する位置まで洗浄ユニット本体９３を上昇させる。このとき、搬送ベルト６４は、上記の第３ガイドプレート８５により押さえられ、水平姿勢を維持したまま回転ブラシ９７と接触する。そして、搬送ベルト６４を走行させると共に回転ブラシ９７を回転させることで、搬送ベルト６４の表面（粘着面）が連続的にブラッシング洗浄される。ここで、回転ブラシ９７は、搬送ベルト６４の走行に対し順方向に回転する。このため、回転ブラシ９７が搬送ベルト６４から離れた瞬間に飛散する洗浄液が、ワイパー９９に向かうことになり、洗浄容器９６の外部に飛散することが防止される。そして、搬送ベルト６４に付着した洗浄液は、一次ワイピングブレード１９３および二次ワイピングブレード１９６により拭き取られる。拭き取られた洗浄液は、一次ワイパー１９１や二次ワイパー１９２の表面に沿って流下し、大室１５８に戻される。
【００７０】
ここで、上述したように、二次固定プレート１９７を洗浄容器９６の傾斜部１６３に沿って斜めに取り付けたことで、二次固定プレート１９７に形成された二次ネジ孔２０１の軸線２０１ａが、走行方向上流側に向かって斜め上方に傾くことになる。このため、一次固定プレート１９４を二次固定プレート１９７よりも下方に設けなくとも、二次ネジ孔２０１の軸線２０１ａが一次固定プレート１９４の上端よりも上方を向き、一次固定プレート１９４と交差しないようにすることができる。このため、本実施形態のように、一次固定プレート１９４と二次固定プレート１９７とを近接して配設した場合にも、二次ネジ孔２０１に螺合する二次固定ネジに対して走行方向上流側からドライバー等でアクセスする際に、一次固定プレート１９４が邪魔となることがない。したがって、二次ワイピングブレード１９６を交換する場合などに、二次固定ネジをドライバー等で容易に緩め、また、ねじ込むことができるため、交換作業を迅速に行うことができる。
【００７１】
また、一次固定プレート１９４を下流側壁１５３の鉛直部１６２に取り付けると共に、二次固定プレート１９７を下流側壁１５３の傾斜部１６３に取り付けたことで、二次固定プレート１９７に一次固定プレート１９４を取り付けた場合に比べ、一次固定プレート１９４を下流側壁１５３に寄せて配設することができる。このため、洗浄容器９６の走行方向における長さを短くすることができ、コンパクトな構成とすることができる。
【００７２】
本実施形態では、一次ワイピングブレード１９３、一次固定プレート１９４および一次押さえ部材１９５を、側面視において、起立姿勢とし、二次ワイピングブレード１９６、二次固定プレート１９７および二次押さえ部材１９８を、側面視において、上端部が走行方向下流側に傾いた傾斜姿勢としたが、これとは逆の構成にしてもよい。すなわち、一次ワイピングブレード１９３、一次固定プレート１９４および一次押さえ部材１９５を、側面視において、上端部が走行方向上流側に傾いた傾斜姿勢とし、二次ワイピングブレード１９６、二次固定プレート１９７および二次押さえ部材１９８を、側面視において、起立姿勢としてもよい。そして、この場合、一次固定プレート１９４に形成された一次ネジ孔の軸線が、走行方向下流側に向かって斜め上方に傾けるようにする。これにより、二次固定プレート１９７を一次固定プレート１９４よりも下方に設けなくとも、一次ネジ孔の軸線が二次固定プレート１９７の上端よりも上方を向き、二次固定プレート１９７と交差しないようにすることができる。このため、一次固定プレート１９４と二次固定プレート１９７とを近接して配設した場合にも、一次ネジ孔に螺合する一次固定ネジに対して走行方向下流側からドライバー等でアクセスする際に、二次固定プレート１９７が邪魔となることがない。
なお、一次側および二次側の双方を傾斜姿勢としてもよい。
【００７３】
また、本実施形態では、一次ワイパー１９１および二次ワイパー１９２のいずれも、搬送ベルト６４の洗浄液を拭き取るワイピング部材として、ワイピングブレードを用いたが、これに限定されるものではなく、例えば、シート状のものやブラシ状のものを用いてもよい。また、本実施形態では、記録媒体Ｗ（布帛）を搬送する搬送ベルト６４を洗浄するベルト洗浄ユニット６５について説明したが、他の被搬送物を搬送する搬送ベルトを洗浄するベルト洗浄装置にも本発明を適用可能である。例えば、液晶ディスプレイの製造工程において、ガラス基板や偏光シート等の各種機能性シートを搬送する搬送ベルトを洗浄するベルト洗浄装置に対して、本発明を適用することができる。
【符号の説明】
【００７４】
１：インクジェット記録装置、６４：搬送ベルト、９６：洗浄容器、９７：回転ブラシ、９９：ワイパー、１９３：一次ワイピングブレード、１９４：一次固定プレート、１９６：二次ワイピングブレード、１９７：二次固定プレート、２０１：二次ネジ孔、２０１ａ：軸線、Ｗ：記録媒体
【図１】
2014047034.tif 000003
【図２】
2014047034.tif 000004
【図３】
2014047034.tif 000005